(57)【要約】【課題】撮影された撮影対象物に関連する広告宣伝などの配信情報を配信可能な情報配信システムの提供を課題とする。【解決手段】情報配信システム１は、インターネット３に接続された携帯情報端末４及び管理サーバ８を備え、携帯情報端末４は、撮影データ取得手段と、撮影位置データ取得手段と、方位角度データ取得手段と、取得した撮影情報５を送信する撮影情報送信手段と、管理サーバ８から配信情報７を受信する配信情報受信手段と、撮影配信情報を表示する撮影配信情報表示手段とを具備し、管理サーバ８は、対象物情報記憶手段と、配信情報記憶手段と、撮影情報を受信する撮影情報受信手段と、撮影対象物６を特定する撮影対象物特定手段と、撮影対象物に対応する配信情報７を抽出する配信情報抽出手段と、抽出した配信情報７を送信する配信情報送信手段とを具備する。【選択図】図１
2014120838.tif 000002
【特許請求の範囲】
【請求項１】
通信ネットワークを通じてそれぞれ接続されたユーザ端末及び管理サーバを備え、
前記ユーザ端末は、
撮影対象物を撮影した撮影データを取得する撮影データ取得手段と、
前記撮影対象物を撮影した撮影位置に係る撮影位置データを、前記撮影データ取得手段と連動して取得する撮影位置データ取得手段と、
前記撮影位置から前記撮影対象物を撮影した前記ユーザ端末の方位及び角度に係る方位角度データを、前記撮影データ取得手段と連動して取得する方位角度データ取得手段と、
取得された前記撮影データ、前記撮影位置データ、及び前記方位角度データを撮影情報として、前記通信ネットワークを通じて前記管理サーバに送信する撮影情報送信手段と、
前記管理サーバから送信される配信情報を、前記通信ネットワークを通じて受信する配信情報受信手段と、
前記撮影データ及び前記配信情報を結合した撮影配信情報を、前記ユーザ端末のディスプレイに表示する撮影配信情報表示手段と
を具備し、
前記管理サーバは、
前記撮影対象物の対象物画像データ及び前記撮影対象物の対象物位置データを含む複数の対象物情報を対象物情報データベースに記憶した対象物情報記憶手段と、
前記対象物情報が記憶された複数の前記撮影対象物にそれぞれ対応する前記配信情報を配信情報データベースに記憶した配信情報記憶手段と、
前記ユーザ端末から送信される前記撮影情報を、前記通信ネットワークを通じて受信する撮影情報受信手段と、
前記撮影データと前記対象物画像データとに基づいて前記撮影対象物を画像認識処理によって認識する画像認識手段、及び、前記撮影位置データ及び前記方位角度データと前記対象物位置データとに基づいて前記撮影対象物を前記撮影位置からの相対的位置関係から認識する位置認識手段を備え、前記画像認識手段及び前記位置認識手段の少なくとも一方を用いて前記撮影対象物を特定する撮影対象物特定手段と、
特定された前記撮影対象物に対応する前記配信情報を前記配信情報データベースから抽出する配信情報抽出手段と、
抽出された前記配信情報を、前記通信ネットワークを通じて前記ユーザ端末に送信する配信情報送信手段と
を具備することを特徴とする情報配信システム。
【請求項２】
前記ユーザ端末は、
他のユーザ端末を配信先を特定した限定配信情報を作成する限定配信情報作成手段と、
前記撮影対象物と対応させた前記限定配信情報を、前記通信ネットワークを通じて前記管理サーバに送信する端末側限定配信情報送信手段と
をさらに具備し、
前記管理サーバは、
送信された前記限定配信情報を、前記通信ネットワークを通じて受信して前記配信情報データベースに登録する限定配信情報受信登録手段と、
前記撮影情報を送信したユーザ端末が、前記他のユーザ端末であるか否かを判別するユーザ端末判別手段と
をさらに具備し、
前記配信情報送信手段は、
前記通信ネットワークを通じて前記ユーザ端末判別手段によって判別された前記他のユーザ端末に前記限定配信情報を送信することを特徴とする請求項１に記載の情報配信システム。
【請求項３】
前記ユーザ端末は、
前記撮影配信情報を記憶する端末側記憶手段と、
前記撮影配信情報の前記端末側記憶手段への保存を入力する記憶操作を検出し、操作検出データを、前記通信ネットワークを通じて前記管理サーバに送信する操作検出データ送信手段と、
前記管理サーバから送信される追加配信情報を、前記通信ネットワークを通じて受信する追加配信情報受信手段と、
前記撮影配信情報に含まれる前記配信情報を、受信した前記追加配信情報に置換した撮影追加配信情報を作成し、前記ディスプレイに表示する撮影追加配信情報表示手段と
をさらに具備し、
前記管理サーバは、
前記撮影対象物にそれぞれ対応する前記追加配信情報を追加配信情報データベースに記憶する追加配信情報記憶手段と、
前記操作検出データを、前記通信ネットワークを通じて受信する操作検出データ受信手段と、
前記操作検出データと前記追加配信情報データベースとに基づいて、特定された前記撮影対象物に対応する前記追加配信情報を抽出する追加配信情報抽出手段と、
抽出された前記追加配信情報を、前記通信ネットワークを通じて前記ユーザ端末に送信する追加配信情報送信手段と
を具備することを特徴とする請求項１または請求項２に記載の情報配信システム。
【請求項４】
撮影対象物を撮影した撮影データを取得する撮影データ取得手段、前記撮影対象物を撮影した撮影位置に係る撮影位置データを、前記撮影データ取得手段と連動して取得する撮影位置データ取得手段、前記撮影位置から前記撮影対象物を撮影した前記ユーザ端末の方位及び角度に係る方位角度データを、前記撮影データ取得手段と連動して取得する方位角度データ取得手段、取得された前記撮影データ、前記撮影位置データ、及び前記方位角度データを撮影情報として、通信ネットワークを通じて前記管理サーバに送信する撮影情報送信手段、前記管理サーバから送信される配信情報を、前記通信ネットワークを通じて受信する配信情報受信手段、及び前記撮影データ及び前記配信情報を結合した撮影配信情報を、前記ユーザ端末のディスプレイに表示する撮影配信情報表示手段として、前記通信ネットワークを通じて接続されたユーザ端末を機能させるとともに、
前記撮影対象物の対象物画像データ及び前記撮影対象物の対象物位置データを含む複数の対象物情報を対象物情報データベースに記憶した対象物情報記憶手段、前記対象物情報が記憶された複数の前記撮影対象物にそれぞれ対応する前記配信情報を配信情報データベースに記憶した配信情報記憶手段、前記ユーザ端末から送信される前記撮影情報を、前記通信ネットワークを通じて受信する撮影情報受信手段、前記撮影データと前記対象物画像データとに基づいて前記撮影対象物を画像認識処理によって認識する画像認識手段、及び、前記撮影位置データ及び前記方位角度データと前記対象物位置データとに基づいて前記撮影対象物を前記撮影位置からの相対的位置関係から認識する位置認識手段を備え、前記画像認識手段及び前記位置認識手段の少なくとも一方を用いて前記撮影対象物を特定する撮影対象物特定手段、特定された前記撮影対象物に対応する前記配信情報を前記配信情報データベースから抽出する配信情報抽出手段、及び、抽出された前記配信情報を、前記通信ネットワークを通じて前記ユーザ端末に送信する配信情報送信手段として、前記通信ネットワークに接続された管理サーバを機能させることを特徴とする情報配信プログラム。
【請求項５】
他のユーザ端末を配信先に特定した限定配信情報を作成する限定配信情報作成手段、及び、前記撮影対象物と対応させた前記限定配信情報を、前記通信ネットワークを通じて前記管理サーバに送信する端末側限定配信情報送信手段として、前記ユーザ端末をさらに機能させるとともに、
送信された前記限定配信情報を、前記通信ネットワークを通じて受信して前記配信情報データベースに登録する限定配信情報受信登録手段、前記撮影情報を送信したユーザ端末が、前記他のユーザ端末であるか否かを判別するユーザ端末判別手段、及び、前記限定ユーザ端末からの前記撮影情報の受信を検出すると、前記通信ネットワークを通じて前記ユーザ端末判別手段によって判別された前記他のユーザ端末に前記限定配信情報を送信する前記配信情報送信手段として、前記管理サーバをさらに機能させることを特徴とする請求項４に記載の情報配信プログラム。
【請求項６】
前記撮影配信情報を記憶する端末側記憶手段、前記撮影配信情報の前記端末側記憶手段への保存を入力する記憶操作を検出し、操作検出データを、前記通信ネットワークを通じて前記管理サーバに送信する操作検出データ送信手段、前記管理サーバから送信される追加配信情報を、前記通信ネットワークを通じて受信する追加配信情報受信手段、及び、前記撮影配信情報に含まれる前記配信情報を、受信した前記追加配信情報に置換した撮影追加配信情報を作成し、前記ディスプレイに表示する撮影追加配信情報表示手段として、前記ユーザ端末をさらに機能させるとともに、
前記撮影対象物にそれぞれ対応する前記追加配信情報を追加配信情報データベースに記憶する追加配信情報記憶手段、前記操作検出データを、前記通信ネットワークを通じて受信する操作検出データ受信手段、前記操作検出データと前記追加配信情報データベースとに基づいて、特定された前記撮影対象物に対応する前記追加配信情報を抽出する追加配信情報抽出手段、及び、抽出された前記追加配信情報を、前記通信ネットワークを通じて前記ユーザ端末に送信する追加配信情報送信手段として、前記管理サーバをさらに機能させることを特徴とする請求項４または請求項５に記載の情報配信プログラム。
【発明の詳細な説明】
【技術分野】
【０００１】
本発明は、情報配信システム及び情報配信プログラムに関するものである。
【背景技術】
【０００２】
携帯電話やスマートフォン、或いはタブレット端末などの携帯情報端末のカメラ機能を用いて、商品カタログ、パンフレット、或いは名刺などに印刷されたバーコードや二次元バーコードなどの画像を読取り、企業や商品のＰＲサイトへのアクセスを促す広告宣伝の手法が多く行われている。これにより、各サイトにアクセスするためのＵＲＬを直接入力する手間を省くことができ、バーコードなどにカメラのレンズ部を向ける単純な操作で、上記ＵＲＬに関する情報を容易に入手することが可能となる。その結果、当該ＰＲサイトへのアクセス数を飛躍的に増大させることが可能となる。しかしながら、上記広告宣伝の手法は、バーコードなどを印刷したカタログなどを多数枚用意し、さらにカタログなどを多くの人々に配布する必要があった。そのため、カタログなどの作成及び配布に要するコスト、及び配布に要する期間が多く必要であった。
【０００３】
一方、近年において、携帯情報端末のカメラ機能の高性能化が進み、高画質の画像を手軽に撮影する機会が増えている。例えば、遊園地などのレジャー施設や名所・旧跡などがある観光地で記念撮影に携帯情報端末を用いるケースが増えている。記念撮影の場合、観光地の著名な建造物（タワー、神社仏閣、或いは城など）、或いは、山（例えば、「富士山」など）や海などの自然の景色を撮影対象物として、当該撮影対象物を単独で撮影したり、または撮影対象物を背景としてその前に立った人物を撮影することが行われている。また、建造物などをきれいに撮影することが可能な位置（撮影ポイント）は予め決まっていることもあり、多くの観光客などが同じような撮影アングルで一日に数千回以上も撮影対象物が撮影されることがあった。しかしながら、これらの撮影対象物の撮影と、広告宣伝やその他の各種情報の配信とを組合わせたシステムはなかった。
【発明の概要】
【発明が解決しようとする課題】
【０００４】
そこで、本発明は、上記実情に鑑み、携帯情報端末などによって撮影された撮影対象物を特定し、撮影対象物に対応するスポンサーの広告宣伝に関する情報などの配信情報を配信可能な情報配信システム及び情報配信プログラムの提供を課題とするものである。
【課題を解決するための手段】
【０００５】
上記の課題を解決するため、本発明の情報配信システムは、「通信ネットワークを通じてそれぞれ接続されたユーザ端末及び管理サーバを備え、前記ユーザ端末は、撮影対象物を撮影した撮影データを取得する撮影データ取得手段と、前記撮影対象物を撮影した撮影位置に係る撮影位置データを、前記撮影データ取得手段と連動して取得する撮影位置データ取得手段と、前記撮影位置から前記撮影対象物を撮影した前記ユーザ端末の方位及び角度に係る方位角度データを、前記撮影データ取得手段と連動して取得する方位角度データ取得手段と、取得された前記撮影データ、前記撮影位置データ、及び前記方位角度データを撮影情報として、前記通信ネットワークを通じて前記管理サーバに送信する撮影情報送信手段と、前記管理サーバから送信される配信情報を、前記通信ネットワークを通じて受信する配信情報受信手段と、前記撮影データ及び前記配信情報を結合した撮影配信情報を、前記ユーザ端末のディスプレイに表示する撮影配信情報表示手段とを具備し、前記管理サーバは、前記撮影対象物の対象物画像データ及び前記撮影対象物の対象物位置データを含む複数の対象物情報を対象物情報データベースに記憶した対象物情報記憶手段と、前記対象物情報が記憶された複数の前記撮影対象物にそれぞれ対応する前記配信情報を配信情報データベースに記憶した配信情報記憶手段と、前記ユーザ端末から送信される前記撮影情報を、前記通信ネットワークを通じて受信する撮影情報受信手段と、前記撮影データと前記対象物画像データとに基づいて前記撮影対象物を画像認識処理によって認識する画像認識手段、及び、前記撮影位置データ及び前記方位角度データと前記対象物位置データとに基づいて前記撮影対象物を前記撮影位置からの相対的位置関係から認識する位置認識手段を備え、前記画像認識手段及び前記位置認識手段の少なくとも一方を用いて前記撮影対象物を特定する撮影対象物特定手段と、特定された前記撮影対象物に対応する前記配信情報を前記配信情報データベースから抽出する配信情報抽出手段と、抽出された前記配信情報を、前記通信ネットワークを通じて前記ユーザ端末に送信する配信情報送信手段と」を具備している。
【０００６】
ここで、ユーザ端末とは、インターネットなどの通信ネットワークに接続可能な無線若しくは有線の通信機能を有するものであり、携帯電話やスマートフォンなどの携帯情報端末が特に例示される。また、上記通信機能及びカメラ機能を有するタブレット型端末や、ノート型パーソナルコンピュータなど、或いは無線通信機能を有するデジタルカメラなど、撮影対象物を撮影可能なように携帯性を備えるものであればよい。
【０００７】
撮影データ取得手段とは、上述した携帯情報端末などに搭載されたカメラを使用し、レンズ部を撮影対象物に向けて撮影データを取得するものである。ここで、撮影データの取得は、撮影対象物に向け、撮影対象物とのピントが合った状態を検知し、検知したタイミングで撮影データを取得するもの、或いは、ユーザ端末を操作する使用者が取得操作（例えば、シャッターボタンの押圧操作など）を行ったタイミングで取得するものであってもよい。一方、撮影位置データ取得手段とは、例えば、携帯情報端末に搭載されたＧＰＳセンサなどを用い、ユーザ端末の位置、すなわち、緯度及び経度に係る情報を撮影位置データとして取得するものである。ここで、撮影位置データは、上記の撮影データの取得に連動して同一のタイミングで取得される。さらに、方位角度データ取得手段とは、例えば、携帯情報端末に搭載されたジャイロセンサや加速度センサなどを用い、撮影データの取得時のユーザ端末（特に、レンズ部）の方位（向き）及び角度（仰角、俯角）を方位角度データとして取得するものである。方位角度データは、撮影位置データと同様に、撮影データの取得に連動して同一のタイミングで取得される。そのため、撮影データ、撮影位置データ、及び方位角度データは、同一時刻において取得され、それぞれ取得時刻に係る情報を含んでいる。
【０００８】
撮影情報送信手段は、同一タイミングで取得された撮影データ、撮影位置データ、及び方位角度データを撮影情報として、インターネットなどを通じて送信するものであり、一方、配信情報受信手段は、管理サーバによって抽出された配信情報をインターネットなどを通じて受信するものである。また、撮影配信情報表示手段とは、カメラを有して撮影された撮影データと受信した配信情報とを結合した撮影配信情報を表示するものである。ここで、撮影配信情報の表示は、例えば、ユーザ端末のディスプレイ上部に撮影対象物を表示し、ディスプレイ下部に配信情報（例えば、スポンサーのロゴやセール情報など）を表示するものや、撮影対象物に重ね合わせるようにスポンサー名などの文字を表示するものが例示される。なお、携帯情報端末のディスプレイがタッチパネル機能を有する場合には、表示された配信情報の部分をタッチすることにより、商品のＰＲ用のサイトにアクセス可能なリンクを設けたものであってもよい。
【０００９】
ここで、撮影データによって撮影される撮影対象物は、観光地における著名な建造物や、レジャー施設などが例示される。また、山、海、川、滝などの自然の風景であってもよく、夜空の月、火星や金星などの惑星、北極星などの恒星、或いは北斗七星のような天体物であってもよい。
【００１０】
一方、管理サーバの対象物情報データベースは、送信された撮影情報に基づいて撮影対象物を特定するための複数の対象物情報が記憶されたものであり、対象物情報には、画像認識を行うために撮影対象物の外観形状が撮影された対象物画像データや、撮影対象物の所在する場所の緯度及び経度に係る対象物位置データが含まれている。係る対象物情報と受信した撮影情報とを照合することにより、撮影対象物を特定することができる。
【００１１】
具体的に説明すると、画像認識手段による撮影対象物の認識は、撮影データに含まれる撮影対象物の画像と、対象物画像データとの間で画像認識処理を行い、両者の画像における外観形状、輪郭形状、色彩、模様などの一致点を照合して認識するものである。一方、位置認識手段による撮影対象物の特定の場合、撮影位置データ及び角度方位データに基づいて、ユーザ端末による撮影位置及び撮影方向を特定し、係る撮影位置及び撮影方向から撮影可能な撮影対象物の相対的な位置及び距離が求められ、さらに撮影方向及び撮影角度からどの撮影対象物が撮影されているか否かを算出するものである。また、月などの天体物を撮影対象物とした場合、対象物情報の中に天体物の運行軌道に関する情報を含むことにより、撮影時刻における撮影位置及び撮影方向から確認される天体物を認識することができる。このとき、画像認識手段を併用することにより、撮影対象物の特定の精度をさらに高めることができる。なお、撮影対象物特定手段は、画像認識手段及び位置認識手段の少なくとも一方で撮影対象物を特定するものであるものの、例えば、撮影位置と撮影対象物とが近接している場合には位置認識による精度が低くなったり、撮影位置と撮影対象物の位置が遠く離れている場合には画像認識の精度が低くなることが予想される。そのため、画像認識手段及び位置認識手段を必要に応じて併用することにより、撮影対象物を特定するための精度を向上させることができる。
【００１２】
一方、配信情報抽出手段とは、対象物情報データベースに対象物情報が記憶された撮影対象物に対応した配信情報がそれぞれ記憶された配信情報データベースから、特定された撮影対象物に係る配信情報を抽出するものである。ここで、配信情報は、予め撮影対象物と関連付けて記憶されたスポンサー企業やその商品を宣伝するための情報や、或いは地方公共団体が撮影対象物の周囲に居住する住民などに広報活動の一環として提供する情報、或いは、地震や台風などの自然災害発生時に、被害状況や避難誘導のために必要な提供する情報などを含むものである。なお、配信情報を提供するスポンサー企業などからの広告収入によって本システムを運営することができ、アクセスするユーザ端末は無料で本システムを使用するものとしてもよい。
【００１３】
したがって、本発明の情報配信システムによれば、ユーザ端末によって取得された撮影情報に基づいて、管理サーバで撮影対象物を特定し、これに対応して記憶された配信情報を抽出し、ユーザ端末に配信することができる。その結果、観光地などで撮影される撮影対象物に対応させて、配信情報を記憶しておくことにより、撮影対象物が撮影される度に観光客などのユーザ端末の使用者に対して、スポンサー企業の情報や観光地の名産などに関する情報を提供することができる。街のシンボル的な建造物を撮影対象物として設定し、行政情報や災害情報などを提供することもできる。
【００１４】
さらに、本発明の情報配信システムは、上記構成に加え、「前記ユーザ端末は、他のユーザ端末を配信先に特定した限定配信情報を作成する限定配信情報作成手段と、前記撮影対象物と対応させた前記限定配信情報を、前記通信ネットワークを通じて前記管理サーバに送信する端末側限定配信情報送信手段とをさらに具備し、前記管理サーバは、送信された前記限定配信情報を、前記通信ネットワークを通じて受信して前記配信情報データベースに登録する限定配信情報受信登録手段と、前記撮影情報を送信したユーザ端末が、前記他のユーザ端末であるか否かを判別するユーザ端末判別手段とをさらに具備し、前記配信情報送信手段は、前記限定ユーザ端末からの前記撮影情報の受信を検出すると、前記通信ネットワークを通じて前記ユーザ端末判別手段によって判別された前記他のユーザ端末に前記限定配信情報を送信する」ものであっても構わない。
【００１５】
したがって、本発明の情報配信システムによれば、ユーザ端末によって配信先を特定した限定配信情報を作成し、管理サーバに当該限定配信情報を登録することができる。そして、ユーザ端末によって特定された他のユーザ端末が撮影情報を管理サーバに送信した際に、当該他のユーザ端末を判別し、限定配信情報を送信する。これにより、他のユーザ端末では、撮影データと限定配信情報とを結合した撮影配信情報が表示される。
【００１６】
さらに、本発明の情報配信システムは、上記構成に加え、「前記ユーザ端末は、前記撮影配信情報を記憶する端末側記憶手段と、前記撮影配信情報の前記端末側記憶手段への保存を入力する記憶操作を検出し、操作検出データを、前記通信ネットワークを通じて前記管理サーバに送信する操作検出データ送信手段と、前記管理サーバから送信される追加配信情報を、前記通信ネットワークを通じて受信する追加配信情報受信手段と、前記撮影配信情報に含まれる前記配信情報を、受信した前記追加配信情報に置換した撮影追加配信情報を作成し、前記ディスプレイに表示する撮影追加配信情報表示手段とをさらに具備し、前記管理サーバは、前記撮影対象物にそれぞれ対応する前記追加配信情報を追加配信情報データベースに記憶する追加配信情報記憶手段と、前記操作検出データを、前記通信ネットワークを通じて受信する操作検出データ受信手段と、前記操作検出データと前記追加配信情報データベースとに基づいて、特定された前記撮影対象物に対応する前記追加配信情報を抽出する追加配信情報抽出手段と、抽出された前記追加配信情報を、前記通信ネットワークを通じて前記ユーザ端末に送信する追加配信情報送信手段と」を具備するものであっても構わない。
【００１７】
したがって、本発明の情報配信システムによれば、ユーザ端末において撮影配信情報の端末側記憶手段への保存を入力する記憶操作を検出すると、操作検出データが管理サーバに送信される。係る操作検出データを管理サーバが受信すると、追加配信情報データベースから追加配信情報が抽出され、ユーザ端末に送信される。ここで、追加配信情報は、例えば、撮影対象物或いはその周囲の店舗の広告や宣伝に関する情報に加え、当該店舗などで利用可能な割引クーポンなどの特典を付与するものや、本システムを使用する使用者に限定した特売情報などが含まれる。これにより、撮影配信情報を記憶する機会を増やし、使用者をスポンサー企業の店舗などの誘引する広告宣伝の効果を高めることができる。
【００１８】
一方、本発明の情報配信プログラムは、「撮影対象物を撮影した撮影データを取得する撮影データ取得手段、前記撮影対象物を撮影した撮影位置に係る撮影位置データを、前記撮影データ取得手段と連動して取得する撮影位置データ取得手段、前記撮影位置から前記撮影対象物を撮影した前記ユーザ端末の方位及び角度に係る方位角度データを、前記撮影データ取得手段と連動して取得する方位角度データ取得手段、取得された前記撮影データ、前記撮影位置データ、及び前記方位角度データを撮影情報として、通信ネットワークを通じて前記管理サーバに送信する撮影情報送信手段、前記管理サーバから送信される配信情報を、前記通信ネットワークを通じて受信する配信情報受信手段、及び前記撮影データ及び前記配信情報を結合した撮影配信情報を、前記ユーザ端末のディスプレイに表示する撮影配信情報表示手段として、前記通信ネットワークを通じて接続されたユーザ端末を機能させるとともに、前記撮影対象物の対象物画像データ及び前記撮影対象物の対象物位置データを含む複数の対象物情報を対象物情報データベースに記憶した対象物情報記憶手段、前記対象物情報が記憶された複数の前記撮影対象物にそれぞれ対応する前記配信情報を配信情報データベースに記憶した配信情報記憶手段、前記ユーザ端末から送信される前記撮影情報を、前記通信ネットワークを通じて受信する撮影情報受信手段、前記撮影データと前記対象物画像データとに基づいて前記撮影対象物を画像認識処理によって認識する画像認識手段、及び、前記撮影位置データ及び前記方位角度データと前記対象物位置データとに基づいて前記撮影対象物を前記撮影位置からの相対的位置関係から認識する位置認識手段を備え、前記画像認識手段及び前記位置認識手段の少なくとも一方を用いて前記撮影対象物を特定する撮影対象物特定手段、特定された前記撮影対象物に対応する前記配信情報を前記配信情報データベースから抽出する配信情報抽出手段、及び、抽出された前記配信情報を、前記通信ネットワークを通じて前記ユーザ端末に送信する配信情報送信手段として、前記通信ネットワークに接続された管理サーバを機能させる」ものである。
【００１９】
さらに、本発明の情報配信プログラムは、上記構成に加え、「他のユーザ端末を配信先に特定した限定配信情報を作成する限定配信情報作成手段、及び、前記撮影対象物と対応させた前記限定配信情報を、前記通信ネットワークを通じて前記管理サーバに送信する端末側限定配信情報送信手段として、前記ユーザ端末をさらに機能させるとともに、送信された前記限定配信情報を、前記通信ネットワークを通じて受信して前記配信情報データベースに登録する限定配信情報受信登録手段、前記撮影情報を送信したユーザ端末が、前記他のユーザ端末であるか否かを判別するユーザ端末判別手段、及び、前記限定ユーザ端末からの前記撮影情報の受信を検出すると、前記通信ネットワークを通じて前記ユーザ端末判別手段によって判別された前記他のユーザ端末に前記限定配信情報を送信する前記配信情報送信手段として、前記管理サーバをさらに機能させる」もの、或いは「前記撮影配信情報を記憶する端末側記憶手段、前記撮影配信情報の前記端末側記憶手段への保存を入力する記憶操作を検出し、操作検出データを、前記通信ネットワークを通じて前記管理サーバに送信する操作検出データ送信手段、前記管理サーバから送信される追加配信情報を、前記通信ネットワークを通じて受信する追加配信情報受信手段、及び、前記撮影配信情報に含まれる前記配信情報を、受信した前記追加配信情報に置換した撮影追加配信情報を作成し、前記ディスプレイに表示する撮影追加配信情報表示手段として、前記ユーザ端末をさらに機能させるとともに、前記撮影対象物にそれぞれ対応する前記追加配信情報を追加配信情報データベースに記憶する追加配信情報記憶手段、前記操作検出データを、前記通信ネットワークを通じて受信する操作検出データ受信手段、前記操作検出データと前記追加配信情報データベースとに基づいて、特定された前記撮影対象物に対応する前記追加配信情報を抽出する追加配信情報抽出手段、及び、抽出された前記追加配信情報を、前記通信ネットワークを通じて前記ユーザ端末に送信する追加配信情報送信手段として、前記管理サーバをさらに機能させる」ものであっても構わない。
【００２０】
したがって、本発明の情報配信プログラムによれば、ユーザ端末及び管理サーバにそれぞれインストールしたプログラムを起動することにより、ユーザ端末及び管理サーバにそれぞれ上述した作用を奏させることが可能となる。なお、ユーザ端末における情報配信プログラムのインストールは、例えば、予めユーザ端末用の情報配信プログラムが登録されたサイトからダウンロードすることにより行われるものもよい。
【発明の効果】
【００２１】
本発明の効果によれば、携帯情報端末などのユーザ端末によって撮影された撮影対象物を特定し、当該撮影対象物に対応する配信情報を管理サーバから配信することができる。
【図面の簡単な説明】
【００２２】
【図１】本実施形態の情報配信システムの概略構成を示す説明図である。
【図２】情報配信システムにおける携帯情報端末の機能的構成を示すブロック図である。
【図３】情報配信システムにおける管理サーバの機能的構成を示すブロック図である。
【図４】情報配信システムにおける携帯情報端末及び管理サーバのそれぞれの処理の流れを示すフローチャートである。
【図５】情報配信システムにおける携帯情報端末及び管理サーバのそれぞれの処理の流れを示すフローチャートである。
【図６】情報配信システムにおける携帯情報端末及び管理サーバのそれぞれの限定配信情報の作成及び登録に係る処理の流れを示すフローチャートである。
【図７】携帯情報端末における（ａ）撮影配信情報、（ｂ）撮影追加配信情報、及び（ｃ）限定配信情報の表示の一例を示す説明図である。
【発明を実施するための形態】
【００２３】
以下、本発明の一実施形態である情報配信システム１及び情報配信プログラム２について、図１乃至図７に基づいて説明する。
【００２４】
本実施形態の情報配信システム１は、インターネット３（通信ネットワークに相当）と無線通信回線Ａを通じて接続された複数の携帯情報端末４と、携帯情報端末４によって取得された撮影情報５に基づいて、携帯情報端末４が撮影した撮影対象物６を特定し、当該撮影対象物６に対応する配信情報７を携帯情報端末４に提供する、インターネット３に接続された管理サーバ８とを具備している。ここで、携帯情報端末４は、筐体の一部に埋設されたレンズ部９を有し撮影対象物６を撮影するためのカメラ１１、筐体内部に内蔵され、携帯情報端末４の位置情報に係る撮影位置データ１５を取得可能なＧＰＳセンサ１２、及び、筐体内部に内蔵され、携帯情報端末４の向きや姿勢（特に、レンズ部９の向き及び方位）に係る方位角度データ１７を取得可能なジャイロセンサ１３を備える「スマートフォン」が本実施形態において使用される。ここで、携帯情報端末４が本発明のユーザ端末に相当する。さらに、撮影対象物６とは、携帯情報端末４のカメラ１１によって撮影される撮影対象となるものであり、例えば、観光地の著名な建造物や月・惑星などの天体物、或いは山などの自然の風景などがある。
【００２５】
さらに詳細に説明すると、携帯情報端末４は、その機能的構成として、図２に示すように、カメラ１１を用いて撮影対象物６にピントを合わせることで撮影データ１０を取得する撮影データ取得手段１４と、撮影対象物６を撮影した撮影位置の緯度及び経度に係る撮影位置データ１５をＧＰＳセンサ１２を用いて取得する撮影位置データ取得手段１６と、撮影位置から撮影対象物６に向けた携帯情報端末４（特に、レンズ部９）の向き（方位）及び角度（仰角または俯角）に係る方位角度データ１７をジャイロセンサ１３を用いて取得する方位角度データ取得手段１８と、取得した撮影データ１０、撮影位置データ１５、及び、方位角度データ１７を撮影情報５として、インターネット３を通じて管理サーバ８に送信する撮影情報送信手段１９と、管理サーバ８から送信される撮影対象物６に対応した配信情報７を、インターネット３を通じて受信する配信情報受信手段２０と、受信した配信情報７とカメラ１１によって撮影した撮影データ１０を組合わせて作成した撮影配信情報２１を携帯情報端末４のタッチパネル機能２２の付いたディスプレイ２３に表示する撮影配信情報表示手段２４とを具備している。
【００２６】
ここで、本実施形態における携帯情報端末４のカメラ１１は、撮影対象物６にレンズ部９を向けることにより、周囲とのコントラスなどを調整しながら自動的にピント合わせを行う機能を有するものが使用される。そのため、撮影データ取得手段１４は、撮影対象物６に使用者がレンズ部９を向けるだけでピント合わせの処理が実行され、ピントが合ったタイミングで撮影データ１０を取得する。すなわち、使用者は、レンズ部９を撮影対象物６に向けるだけで、撮影データ１０を取得することができる。なお、従来のデジタルカメラなどに採用されているような、シャッターを一度、「半押し」した状態でオートフォーカスを機能させ、その後にさらに強い力でシャッターを押す「二度押し」をすることで撮影対象物６の静止画を撮影データ１０として取得するものであってもよい。ここで、撮影位置データ１５及び方位角度データ１７は、撮影データ１０の取得と連動し、上記ピントがあったタイミングでそれぞれ取得される。また、携帯情報端末４は、ディスプレイ２３に設けられたタッチパネル機能２２によって、携帯情報端末４のディスプレイ２３の上の指の動きなどを検出し、任意に操作することができる。
【００２７】
さらに、携帯情報端末４は、その他の機能的構成として、配信先を特定した他の携帯情報端末（限定携帯情報端末）に限定した限定配信情報２５を作成する限定配信情報作成手段２６と、作成した限定配信情報２５を撮影対象物６と関連づけて、インターネット３を通じて管理サーバ８に送信する限定配信情報送信手段２７とを具備している。これにより、撮影対象物６が撮影され撮影情報５が管理サーバ８に送信されると、限定配信情報２５を作成した携帯情報端末４によって特定された他の携帯情報端末である限定携帯情報端末には、限定配信情報２５が配信され、一方、他の携帯情報端末以外の携帯情報端末４には通常の配信情報７が配信される。ここで、限定携帯情報端末は、通常の携帯情報端末４と機能的構成は同一であるため、詳細な説明は省略する。なお、限定配信情報２５を予め登録する携帯情報端末４は、限定配信情報２５を管理サーバ８に送信した後、管理サーバ８から限定配信情報２５の登録が完了した旨を示す登録完了情報２８を受信する登録完了情報受信手段２９をさらに備えている。係る登録完了情報２８には、例えば、特定のＵＲＬを指定する情報が含まれ、これを限定携帯情報端末に向けて携帯情報端末４から、撮影対象物６を撮影するように促すような内容を含むメールを送信をすることにより、メールを受信した限定携帯情報端末を使用するユーザは、指定されたＵＲＬを経由して本実施形態の情報配信システム１にアクセスすることができ、特定された限定配信情報２５の提供を受けることができる。
【００２８】
さらに、携帯情報端末４は、その他の機能的構成として、ディスプレイ２３に表示された撮影配信情報２１を記憶媒体に保存し、記憶する端末側記憶手段３０と、端末側記憶手段３０への当該撮影配信情報２１の保存を入力する記憶操作を検出すると、記憶操作に係る操作検出データ（図示しない）を、インターネット３を通じて管理サーバ８に送信する操作検出データ送信手段３２と、管理サーバ８から折返して送信される追加配信情報３３を、インターネット３を通じて受信する追加配信情報受信手段３４と、撮影配信情報２１に含まれる配信情報７を、受信した追加配信情報３３に置換した撮影追加配信情報３５を作成し、ディスプレイ２３に表示する撮影追加配信情報表示手段３６とを具備している。
【００２９】
すなわち、携帯情報端末４は、撮影データ１０と配信情報７とを組合わせて表示された撮影配信情報２１の端末側記憶手段３０への保存を入力する記憶操作を検出すると、管理サーバ８から新たな追加配信情報３３を受信することができる。ここで、追加配信情報３３とは、撮影配信情報２１を保存したことに対する特典として付与されるものであり、例えば、配信情報７で紹介した店舗や商品の割引クーポンなどの情報、或いは本システムの利用者に限定した特売や特価の情報などである。これにより、表示された撮影配信情報２１を保存し、さらなる特典に係る追加配信情報３３を受けようとする傾向が強くなる。その結果、配信情報７及び追加配信情報３３を提供する企業や商品等のＰＲ効果が高くなり、高い広告宣伝効果を発揮することができる。
【００３０】
また、携帯情報端末４における撮影情報送信手段１９、配信情報受信手段２０、限定配信情報送信手段２７、登録完了情報受信手段２９、操作検出データ送信手段３２、及び追加配信情報受信手段３４は、それぞれ端末側通信手段３７と接続し、係る端末側通信手段３７を介して管理サーバ８と相互に各種情報の送受信が可能となっている。さらに、端末側記憶手段３０には、取得された撮影情報５が一時的に記憶されている。この一時的に記憶された撮影情報５は、撮影配信情報２１の保存或いは本システムの起動を終了した際に端末側記憶手段３０から消去される。また、図２において、携帯情報端末４の主な機能的構成について示したが、その他の中央演算処理装置（ＣＰＵ）、メモリ、及びバッテリなどのハードウェア構成については図示を省略している。
【００３１】
一方、管理サーバ８は、その機能的構成として、図３に示すように、撮影対象物６の外観形状などを予め写した画像からなる対象物画像データ３８、撮影対象物６の所在地（住所、緯度及び経度など）に係る対象物位置データ３９、及び、撮影対象物６の名称や高さなどの詳細に関する対象物基礎データ４０を含む対象物情報４１が、それぞれの撮影対象物６毎に予め対象物情報データベース４２に記憶された対象物情報記憶手段４３と、対象物情報４１の記憶された複数の撮影対象物６に対してそれぞれ対応する配信情報７が、撮影対象物６に関連付けて配信情報データベース４４に記憶された配信情報記憶手段４５と、携帯情報端末４から送信される撮影情報５を、インターネット３を通じて受信する撮影情報受信手段４６と、撮影情報５の撮影データ１０と対象物画像データ３８に基づいて撮影対象物６を画像認識処理によって認識する画像認識手段４７及び撮影位置データ１５及び方位角度データ１７と対象物位置データ３９とに基づいて携帯情報端末４の撮影位置から撮影対象物６の距離、方位、及び角度を含む相対的位置関係から撮影対象物６を認識する位置認識手段４８を備え、画像認識手段４７及び位置認識手段４８の少なくとも一方を用いて撮影対象物６を特定する撮影対象物特定手段４９と、特定された撮影対象物６に対応する配信情報７を配信情報データベース４４から抽出する配信情報抽出手段５０と、抽出された配信情報７を、インターネット３を通じて撮影情報５の送信先の携帯情報端末４に送信する配信情報送信手段５１とを具備する。
【００３２】
ここで、対象物画像データ３８とは、撮影対象物６を一方向或いは多方向から予め撮影したものであり、画像認識手段４７を用いて撮影データ１０に写った撮影対象物６を画像認識により特定するためのものである。すなわち、対象物画像データ３８と撮影データ１０とを照合し、外観形状、輪郭、色彩、或いは模様などの一致点及び相違点などを認識し、総合的に撮影対象物６であるか否かを特定するものである。一方、位置認識手段４８とは、撮影情報５に含まれる撮影位置データ１５及び方位角度データ１７から、撮影位置における携帯情報端末４のレンズ部９を向けた方位及び角度を算出し、レンズ部９によって取得した撮影データ１０に写る撮影対象物６を特定するものである。なお、撮影対象物特定手段４９は、上記画像認識処理及び位置認識処理の少なくとも一つを用いて撮影対象物６を認識及び特定するものであればよい。しかしながら、撮影位置と撮影対象物６との相対的位置関係によっては、画像認識及び位置認識のそれぞれの認識精度が著しく低下する可能性も有している。そのため、本実施形態においては、画像認識手段４７及び位置認識手段４８の双方の手段を並行して実施し、得られた双方の認識結果に基づいて撮影対象物６の特定を行っている。これにより、撮影対象物６の認識精度が高くなる。
【００３３】
配信情報データベース４４は、各撮影対象物６に関連付けて予め記憶された複数の広告や宣伝に関する情報、或いは、自然災害の被害状況などを知らせる情報などを含む配信情報７を，予め登録し記憶したものであり、撮影対象物特定手段４９によって特定された撮影対象物６に基づいて配信情報７を抽出するためのものである。例えば、撮影対象物６に対して商品ＰＲ用の広告に関する配信情報７が関連付けて記憶されている場合、特定された撮影対象物６に対応する企業や商品の宣伝用の情報（ロゴ、商品名、企業名など）が例えば、文字、図形などを含んで構成された配信情報７として抽出される。なお、管理サーバ８において、配信情報データベース４４に記憶される配信情報７の内容は、容易に変更することが可能であるため、例えば、自然災害の発生時などには、被害状況や避難先に関する情報、或いは安否確認に関する情報などが配信情報７として抽出されるように配信内容を切り替えるものであってもよい。係る抽出された配信情報７が、インターネット３を通じて撮影情報５の送信先に配信される。
【００３４】
加えて、管理サーバ８は、その他の機能的構成として、携帯情報端末４から送信された限定配信情報２５を、インターネット３を通じて受信し、配信情報データベース４４に登録する限定配信情報受信登録手段５２と、限定配信情報２５が登録された携帯情報端末４に対し特定のＵＲＬなどの情報を含む登録完了情報２８を送信する登録完了情報送信手段５３と、登録完了情報２８に記載されたＵＲＬを経由して本実施形態の情報配信システム１にアクセスし、限定配信情報２５に対応する撮影対象物６を撮影し撮影情報５を送信した限定携帯情報端末を判別する携帯情報端末判別手段５４（ユーザ端末判別手段に相当）とを具備している。
【００３５】
また、管理サーバ８は、その他の機能的構成として、撮影対象物６に対応する追加配信情報３３を追加配信情報データベース５５に記憶する追加配信情報記憶手段５６と、携帯情報端末４から送信された操作検出データを、インターネット３を通じて受信する操作検出データ受信手段５７と、受信した操作検出データに基づいて追加配信情報データベース５５から、特定された撮影対象物６に係る追加配信情報３３を抽出する追加配信情報抽出手段５８と、抽出された追加配信情報３３を、インターネット３を通じて携帯情報端末４に送信する追加配信情報送信手段５９とを具備する。
【００３６】
ここで、携帯情報端末４から送信される操作検出データには、配信情報７を抽出する際に特定された撮影対象物６に関する情報が含まれており、管理サーバ８は改めて撮影対象物６を特定することなく、撮影対象物６に対応する追加配信情報３３を抽出することができる。また、対象物情報記憶手段４３、配信情報記憶手段４５、及び、追加配信情報記憶手段５６は、本実施形態では、管理側記憶手段６０に包含されている。さらに、管理側記憶手段６０には、限定配信情報２５を登録した際に携帯情報端末４に送信した登録完了情報２８と、本実施形態の情報配信システム１にアクセスする際に、携帯情報端末４を識別するための固有のＩＤ及びパスワードを登録した会員情報６１とが記憶されている。また、管理サーバ８は、各種情報を送受信するための管理側通信手段６２とを具備している。
【００３７】
次に、本実施形態の情報配信システム１における携帯情報端末４及び管理サーバ８のそれぞれの処理の流れについて、主に図４及び図５のフローチャートに基づいて説明する。ここで、管理サーバ８の対象物情報データベース４２及び配信情報データベース４４には、名所・旧跡、或いはレジャー施設などの観光地における記念撮影の対象となる複数の撮影対象物６に係る対象物情報４１及び撮影対象物６に対応する配信情報７及び追加配信情報３４が予め記憶されている。また、携帯情報端末４には、アプリケーションソフトウェア（いわゆる「アプリ」）として、携帯情報端末用の情報配信プログラム２が専用のサイトからダウンロードされ、インストールされている。
【００３８】
始めに、携帯情報端末４及び管理サーバ８にそれぞれインストールされた情報配信プログラム２を実行し、情報配信システム１を起動する（ステップＳ１、ステップＴ１）。なお、情報配信システム１の起動に合わせ、携帯情報端末４からは予め登録された端末認証用のＩＤ及びパスワードに係る会員情報６１が管理サーバ８に送信され、当該管理サーバ８は会員情報６１を受付け、管理サーバ８にアクセスする携帯情報端末４を認証する。
【００３９】
会員情報６１が認証された携帯情報端末４は、カメラ１１によるカメラモードを起動する。係る状態で撮影対象物６にレンズ部９を向けることにより、レンズ部９を通して撮影対象物６が撮影され、ディスプレイ２３に撮影対象物６の画像が撮影される。そして、撮影対象物６にレンズ部９を向けてから数秒程度でピントが合った状態を検出する（ステップＳ２）。係るピントの合致を検出すると、撮影対象物６の写った画像に係る撮影データ１０、ＧＰＳセンサ１２によって撮影データ１０の取得時の携帯情報端末４の緯度及び経度に係る撮影位置データ１５、及びジャイロセンサ１３によって撮影データ１０の取得時の携帯情報端末４のレンズ部９方位及び角度に係る方位角度データ１７をそれぞれ取得する（ステップＳ３、ステップＳ４、ステップＳ５）。これにより、撮影情報５の取得が完了する（ステップＳ６）。そして、携帯情報端末４は、インターネット３を通じて取得した撮影情報５を送信する（ステップＳ７）。なお、ステップＳ２乃至ステップＳ７の処理において、携帯情報端末４を使用する使用者は、特に操作を行う必要はなく、単にレンズ部９を撮影対象物６に向けるだけでピント合わせから撮影情報５の取得及び送信までの処理が自動的に行われる。
【００４０】
一方、管理サーバ８は、情報配信システム１を起動した後、会員認証された携帯情報端末４からの撮影情報５の送信の有無を検出する（ステップＴ２）。ここで、撮影情報５の送信が有る場合（ステップＴ２においてＹＥＳ）、係る撮影情報５を受信し（ステップＴ３）、撮影情報５から撮影対象物６を特定する処理を行う（ステップＴ４）。一方、撮影情報５の送信が検出されない場合（ステップＴ２においてＮＯ）、当該撮影情報５が送信されるまでステップＴ２の処理を継続する。撮影対象物６の特定は、対象物情報データベース４２に予め記憶された複数の対象物情報４１の中から画像認識処理及び／または位置認識処理に基づいて、撮影情報５に含まれる撮影データ１０に写った撮影対象物６を特定する。ここで、撮影対象物６の特定の処理についての既に説明したため、ここでは詳細を省略するものの、本実施形態の情報配信システム１では画像認識手段４７による画像認識処理及び位置認識手段４８による位置認識の双方を行い、互いの認識処理結果を総合して撮影対象物６を特定している。撮影情報５に基づいて撮影対象物６の特定がされる場合（ステップＴ５においてＹＥＳ）、撮影情報５を送信した携帯情報端末４が限定携帯情報端末に該当するか否かを判別する（ステップＴ６）。一方、撮影対象物６の特定がされない場合（ステップＴ５においてＮＯ）、すなわち、撮影された撮影対象物６に関する対象物情報４１が対象物情報データベース４２に記憶されていない、或いは、撮影データ１０の画像が不鮮明で画像認識処理によって特定できない、または撮影位置データ１５の情報が不明瞭で撮影対象物６との相対的位置関係を把握することができない、などの場合には、撮影対象物６の特定は行われず、ステップＴ１４の処理に移行する。なお、前述のように、携帯情報端末４では、撮影情報５の送信までに特に操作を行っていないため、例えば、レンズ部９の向きを変えたり、撮影位置を移動することにより新たな撮影情報５が取得され、その都度管理サーバ８に送信することができる。そのため、撮影対象物６を特定するための十分な撮影情報５が送信されるまで、ステップＳ２乃至ステップＳ７の処理が繰り返される。
【００４１】
携帯情報端末４が限定携帯情報端末に該当するかの判断は、プログラム起動時に認証した会員情報６１に基づいて行われる（詳細は後述する）。そして、携帯情報端末４が通常の場合（ステップＴ６においてＹＥＳ）、配信情報データベース４４から撮影対象物６に対応する配信情報７を抽出する（ステップＴ７）。一方、携帯情報端末４が限定携帯情報端末の場合（ステップＴ６においてＮＯ）、配信情報データベース４４から予め登録された限定配信情報２５を抽出する（ステップＴ８）。その後、抽出された配信情報７（または、限定配信情報２５、以下同じ）を携帯情報端末４に送信する（ステップＴ９）。
【００４２】
一方、携帯情報端末４は、管理サーバ８からの配信情報７の送信の有無を検出する（ステップＳ８）。ここで、配信情報７の送信が検出される場合（ステップＳ８においてＹＥＳ）、当該配信情報７を受信し、撮影データ１０と結合した撮影配信情報２１を作成し、ディスプレイ２３に表示する（ステップＳ９）。一方、配信情報７の送信が検出されない場合（ステップＳ８においてＮＯ）、ステップＳ１７の処理に移行する。なお、本実施形態では、撮影された撮影対象物６の画像の下に広告に該当する配信情報７を表示したものを示している（図７（ａ）参照）。なお、本実施形態の情報配信システム１の場合、ステップＳ６の撮影情報５の取得からステップＳ９の上記撮影配信情報２１の表示までの処理は数秒程度で完了する。
【００４３】
その後、携帯情報端末４は撮影配信情報２１の端末側記憶手段３０への保存を入力する記憶操作の有無を検出する（ステップＳ１０）。ここで、記憶操作の検出がある場合（ステップＳ１０においてＹＥＳ）、端末側記憶手段３０に撮影配信情報２１を記憶する（ステップＳ１１）。その後、記憶操作に係る操作検出データを管理サーバ８に送信する（ステップＳ１２）。一方、記憶操作の検出がない場合（ステップＳ１０においてＮＯ）、ステップＳ１７の処理に移行する。
【００４４】
一方、管理サーバ８は、配信情報７を送信した後、携帯情報端末４からの操作検出データの送信の有無を検出する（ステップＴ１０）。ここで、操作検出データの検出がある場合（ステップＴ１０においてＹＥＳ）、操作検出データを受信し（ステップＴ１１）、追加配信情報データベース５５から追加配信情報３３を抽出し（ステップＴ１２）、当該追加配信情報２７を携帯情報端末４に送信する（ステップＴ１３）。一方、操作検出データの検出がない場合（ステップＴ１０においてＮＯ）、ステップＳ１４に移行し、システム終了の指示の有無を検出し、終了の指示がある場合（ステップＴ１４においてＹＥＳ）、管理サーバ８におけるシステムを終了する（ステップＴ１５）。一方、新たな撮影情報５の送信の有無を検出する場合（ステップＴ１４においてＮＯ）、ステップＴ２の処理に戻る。
【００４５】
操作検出データを送信した携帯情報端末４は、管理サーバ８から送信される追加配信情報３３を受信し（ステップＳ１３）、保存された撮影配信情報２１の配信情報７の部分を追加配信情報３３に置換した撮影追加配信情報３５を作成し、ディスプレイ２３に表示する（ステップＳ１４、図７（ｂ）参照））。その後、撮影追加配信情報３５を端末側記憶手段３０への保存を入力する記憶操作の有無を検出し（ステップＳ１５）、当該操作がある場合（ステップＳ１５においてＹＥＳ）、撮影追加配信情報３５を記憶する（ステップＳ１６）。一方、保存を入力する記憶操作がない場合（ステップＳ１５においてＮＯ）、ステップＳ１７に移行し、携帯情報端末４におけるシステム終了の指示の有無を検出し、終了の指示がある場合（ステップＳ１７においてＹＥＳ）、システムを終了する（ステップＳ１８）。一方、終了の指示がない場合（ステップＳ１７においてＮＯ）、ステップＳ２の処理に移行し、新たな撮影情報５の取得を行う。
【００４６】
以上、説明したように、本実施形態の情報配信システム１によれば、観光地などの撮影対象物６を携帯情報端末４のカメラ１１を用いて撮影することにより、予めスポンサー企業などによって登録された配信情報７を撮影対象物６に対応させて管理サーバ８から送信することができる。これにより、一日に数千回以上撮影される可能性のある撮影対象物に関連して広告宣伝の情報を提供することが可能となり、大きな宣伝効果を挙げることができる。なお、撮影対象物をきれいに撮影するための撮影ポイントは、予め決まっていることが多く、各撮影ポイントから撮影された画像の対象物画像データ３８として対象物情報４１に含めることにより、画像認識手段４７に基づく撮影対象物６の特定精度が高くなる。また、撮影データ１０と配信情報７とを結合して作成された撮影配信情報２１を端末側記憶手段３０に記憶することにより、管理サーバ８から追加の情報に係る追加配信情報３３が送信される。これにより、撮影配信情報２１を記憶し、特典などが付与された追加配信情報３３を受信しようとする使用者が増えることにより、配信情報７及び追加配信情報３３を提供するスポンサー企業などの広告宣伝の効果がさらに高まることになる。加えて、従来のバーコードなどを印刷したカタログなどを用いる広告宣伝に比べ、カタログの作成及び配布に要するコスト、及び配布に要する期間が不要となる。その結果、低コストで効率的な広告宣伝が可能となる。
【００４７】
次に、携帯情報端末４及び管理サーバ８による限定配信情報２５の登録の詳細について、図６のフローチャートに基づいて説明する。なお、携帯情報端末４は、既に本実施形態の情報配信システム１にアクセスし、上述した会員情報６１の送信及び会員情報６１の認証を受けているものとする。始めに、携帯情報端末４のタッチパネル機能２２を用いて、表示するメッセージの内容、及び、限定配信情報２５と関連付ける撮影対象物６に関する情報を情報を入力し、限定配信情報２５を作成する（ステップＵ１）。そして、作成された限定配信情報２５を、インターネット３を通じて管理サーバ８に送信する（ステップＵ２）。
【００４８】
一方、管理サーバ８は、携帯情報端末４によって作成された限定配信情報２５の送信の有無を検出し（ステップＶ１）、当該限定配信情報２５の送信が検出される場合（ステップＶ１においてＹＥＳ）、限定配信情報２５を受信し、配信情報データベース４４に登録する（ステップＶ２）。その後、限定配信情報２５が登録された旨に係る登録完了情報３１を限定配信情報２５の送信先の携帯情報端末４に、インターネット３を通じて送信する（ステップＶ３）。これにより、管理サーバ８における限定配信情報２５の登録処理が終了する（ステップＶ４）。また、携帯情報端末４は、管理サーバ８から送信される登録完了情報３１を受信する（ステップＵ３）。これにより、携帯情報端末４における限定配信情報２５の登録処理が終了する（ステップＵ４）。
【００４９】
ここで、登録完了情報３１には、特定のＵＲＬを指定する情報などが含まれている。係る登録完了情報３１の内容を、限定配信情報２５の内容を表示可能な限定携帯情報端末に、メール送信などにより報知する。これにより、特定のＵＲＬを経由して本実施形態の情報配信システム１にアクセスした携帯情報端末４が、限定配信情報２５の登録の際に指定された撮影対象物６に係る撮影情報５を送信した際に、限定配信情報２５の提供を受けることができる。例えば、図７（ｃ）に示すように、撮影対象物６として月を設定して限定配信情報２５を登録した場合、当該月を含む撮影情報５を送信した携帯情報端末４に対して限定配信情報２５を送信することができる。これにより、例えば、プロポーズの言葉などを限定配信情報２５として作成することにより、本実施形態の情報配信システム１を通じて上記情報を特定の相手方に伝えることができる。
【００５０】
以上、本発明について好適な実施形態を挙げて説明したが、本発明はこれらの実施の形態に限定されるものではなく、以下に示すように、本発明の要旨を逸脱しない範囲において、種々の改良及び設計の変更が可能である。
【００５１】
例えば、本実施形態の情報配信システム１において、撮影対象物特定手段４９として、画像認識処理及び位置認識処理の双方を実施するものを示したが、これに限定されるものではなく、画像認識手段４７及び位置認識手段４８の少なくとも一方で撮影対象物６を特定するものであっても構わない。また、撮影情報５を送信する携帯情報端末４（ユーザ端末）で画像認識手段４７または位置認識手段４８、或いは双方による撮影対象物６の特定処理を選択する機能を設け、撮影情報５とともに係る情報を送信するものであってもよい。これにより、管理サーバ８側の撮影対象物６の特定に係る負担を軽減することができる。また、本実施形態の情報配信システム１において、実際の観光地にある建造物や月などを撮影対象物６として撮影するものを示したが、これに限定されるものではなく、例えば、建造物や月などが写った写真、或いは模型などを撮影対象物６とするものであってもよい。これにより、写真などを撮影した撮影情報５が管理サーバ８に送信されることにより、管理サーバ８は主に画像認識手段４７によって撮影対象物６の特定を行い、上記配信情報７を送信することができる。
【符号の説明】
【００５２】
１  情報配信システム
２  情報配信プログラム
３  インターネット（通信ネットワーク）
４  携帯情報端末（ユーザ端末）
５  撮影情報
６  撮影対象物
７  配信情報
８  管理サーバ
１０  撮影データ
１４  撮影データ取得手段
１５  撮影位置データ
１６  撮影位置データ取得手段
１７  方位角度データ
１８  方位角度データ取得手段
１９  撮影情報送信手段
２０  配信情報受信手段
２１  撮影配信情報
２３  ディスプレイ
２４  撮影配信情報表示手段
２５  限定配信情報
２６  限定配信情報作成手段
２７  限定配信情報送信手段
２８  登録完了情報
２９  登録完了情報受信手段
３２  操作検出データ送信手段
３３  追加配信情報
３４  追加配信情報受信手段
３５  撮影追加配信情報
３６  撮影追加配信情報表示手段
３７  端末側通信手段
３８  対象物画像データ
３９  対象物位置データ
４０  対象物基礎データ
４１  対象物情報
４２  対象物情報データベース
４３  対象物情報記憶手段
４４  配信情報データベース
４５  配信情報記憶手段
４６  撮影情報受信手段
４７  画像認識手段
４８  位置認識手段
４９  撮影対象物特定手段
５０  配信情報抽出手段
５１  配信情報送信手段
５２  限定配信情報受信登録手段
５３  登録完了情報送信手段
５４  携帯情報端末判別手段（ユーザ端末判別手段）
５５  追加配信情報データベース
５６  追加配信情報記憶手段
５７  操作検出データ受信手段
５８  追加配信情報抽出手段
５９  追加配信情報送信手段
【図１】
2014120838.tif 000003
【図２】
2014120838.tif 000004
【図３】
2014120838.tif 000005
【図４】
2014120838.tif 000006
【図５】
2014120838.tif 000007
【図６】
2014120838.tif 000008
【図７】
2014120838.tif 000009